(57)【要約】【課題】暗号化データの再生において暗号化されていないデータと同様の操作を可能とするとともに、著作権保護を行えるＤＶＤ再生装置を提供する。【解決手段】ＤＶＤ再生装置に、デバイス鍵情報である鍵情報データ２３ａと、ＣＰＵ２１に、ＤＶＤを再生させる再生プログラム２３ｂと、ＤＶＤ再生中に、ＤＶＤに記録されたデータがＣＰＲＭにより暗号化されているか否かを判断させる暗号化判断プログラム２３ｃと、ＤＶＤに記録されたデータが暗号化されていると判断した場合に、鍵情報データ２３ａからディスクの鍵情報に適合するデバイス鍵情報を取得させる取得プログラム２３ｄと、ディスクの鍵情報とデバイス鍵情報とから解読鍵情報を生成させ、暗号化データを解読させる解読プログラム２３ｅと、解読した暗号化データを再生する際に、表示部に黒画面又は所定の警告文を表示させる表示制御プログラム２３ｆと、を備えた。【選択図】図３
2006216113.tif 000002
【特許請求の範囲】
【請求項１】
ＤＶＤに記憶された暗号化データを解読して再生するため、前記ＤＶＤに記憶された第１の鍵情報に適合する第２の鍵情報を記憶する鍵情報記憶手段と、
ＤＶＤに記録されたデータを再生する再生手段と、
前記再生手段による前記ＤＶＤに記録されたデータを再生中に、前記ＤＶＤに記録されたデータが暗号化データか否かを判断する暗号化判断手段と、
前記暗号化判断手段により、前記ＤＶＤに記録されたデータが暗号化データであると判断された場合に、前記鍵情報記憶手段を検索して、当該暗号化データを解読して再生するため前記ＤＶＤに記憶された第１の鍵情報に適合する第２の鍵情報を取得する取得手段と、
前記第１の鍵情報と前記取得手段により取得された前記第２の鍵情報とから解読鍵情報を生成して、前記ＤＶＤに記録された暗号化データを解読する解読手段と、
前記解読手段により解読された前記ＤＶＤに記録された暗号化データを、前記再生手段により再生する際に、所定の表示部に黒画面を表示させる制御あるいは画面に所定の警告文を表示させる制御を行う表示制御手段と、
を備え、
前記暗号化データはＣＰＲＭ（Content  Protection  for  Recordable  Media）によ
り暗号化されたデータであることを特徴とするＤＶＤ再生装置。
【請求項２】
ＤＶＤに記憶された暗号化データを解読して再生するための鍵情報を記憶する鍵情報記憶手段と、
ＤＶＤに記録されたデータを再生する再生手段と、
前記再生手段による前記ＤＶＤに記録されたデータを再生中に、前記ＤＶＤに記録されたデータが暗号化データか否かを判断する暗号化判断手段と、
前記暗号化判断手段により、前記ＤＶＤに記録されたデータが暗号化データであると判断された場合に、前記鍵情報記憶手段を検索して、当該暗号化データを解読して再生するための鍵情報を取得する取得手段と、
前記取得手段により取得された前記鍵情報を用いて、前記ＤＶＤに記録された暗号化データを解読する解読手段と、
前記解読手段により解読された前記ＤＶＤに記録された暗号化データを、前記再生手段により再生する際に、暗号化データであることを示す所定の表示を所定の表示部に表示させる表示制御手段と、
を備えることを特徴とするＤＶＤ再生装置。
【請求項３】
ＤＶＤに記憶された暗号化データを解読して再生するため、前記ＤＶＤに記憶された第１の鍵情報に適合する第２の鍵情報を記憶する鍵情報記憶手段と、
ＤＶＤに記録されたデータを再生する再生手段と、
前記再生手段による前記ＤＶＤに記録されたデータを再生中に、前記ＤＶＤに記録されたデータが暗号化データか否かを判断する暗号化判断手段と、
前記暗号化判断手段により、前記ＤＶＤに記録されたデータが暗号化データであると判断された場合に、前記鍵情報記憶手段を検索して、当該暗号化データを解読して再生するため前記ＤＶＤに記憶された第１の鍵情報に適合する第２の鍵情報を取得する取得手段と、
前記第１の鍵情報と前記取得手段により取得された前記第２の鍵情報とから解読鍵情報を生成して、前記ＤＶＤに記録された暗号化データを解読する解読手段と、
前記解読手段により解読された前記ＤＶＤに記録された暗号化データを、前記再生手段により再生する際に、暗号化データであることを示す所定の表示を所定の表示部に表示させる表示制御手段と、
を備えることを特徴とするＤＶＤ再生装置。
【請求項４】
前記暗号化データはＣＰＲＭにより暗号化されたデータであることを特徴とする請求項３に記載のＤＶＤ再生装置。
【請求項５】
前記表示制御手段は、前記表示部に、黒画面を表示させる制御あるいは画面に所定の警告文を表示させる制御を行うことを特徴とする請求項２〜４の何れか一項に記載のＤＶＤ再生装置。
【発明の詳細な説明】
【技術分野】
【０００１】
本発明は、ＤＶＤ再生装置に関する。
【背景技術】
【０００２】
音楽，画像，映像等のデジタルコンテンツは、複製しても劣化しないため、不正コピーされてしまうことが多い。そこで、従来、この不正コピーを防ぐため、デジタルコンテンツを暗号化等して配布する等の様々なデジタルコンテンツの著作権保護技術が開発されている。しかし、単純にデジタルコンテンツを暗号化して、全く内容が表示されないようにすると、需要者が興味を持たないこととなり、デジタルコンテンツの配布促進が損なわれてしまう。そこで、デジタルコンテンツの配布システムにおいて、一部分を暗号化したデジタルコンテンツを需要者に提供し、一部の内容を表示等することにより、需要者の関心を喚起する配布システムが知られている（特許文献１）。
【０００３】
また、デジタルコンテンツである音楽データに宣伝音声等の余分なデータを合成して需要者に提供するとともに、合成したデータを暗号化しておき、正当な鍵情報を購入した需要者のみが暗号化された合成データを復号して余分なデータをキャンセルできるようにする方法が知られている（特許文献２）。
【０００４】
ところで、ＤＶＤ（Digital  Versatile  Disc）へのデジタルコンテンツの記録は、ビデオモードとＤＶＤ−ＶＲ（ＤＶＤ−Video  Recording）モードの２つの規格で行われる。そして、ＤＶＤ−ＶＲモードで記録されるデジタルコンテンツの暗号化は、ＣＰＲＭ（Content  Protection  for  Recordable  Media）という著作権保護技術により行われて
いる。
【０００５】
ＣＰＲＭにより暗号化されたデジタルコンテンツをＤＶＤ−ＶＲモードで記録したＤＶＤをＣＰＲＭ非対応型のＤＶＤ再生装置で再生すると、画面がブロックノイズだらけになりシステムデコーダがハングアップしてしまう。これを防止するため、通常、ＣＰＲＭにより暗号化されている所で再生を停止したり、ＣＰＲＭにより暗号化されている所をスキップしたりする等の操作が行われている。
【特許文献１】特開２００２−１５８６５４
【特許文献２】特開２０００−１２３４８１
【発明の開示】
【発明が解決しようとする課題】
【０００６】
しかしながら、ＣＰＲＭにより暗号化されている所で再生を停止することとすると、それより後のデータでＣＰＲＭにより暗号化されていない所がある場合に、当該ＣＰＲＭにより暗号化されていない部分を視聴することができなくなる。また、ＣＰＲＭにより暗号化されている所をスキップすることとすると、実際にはスキップしている部分のデータを取得できていないので、再生時間等の再生情報が正確に取得できず、タイムサーチやＦＦ／ＦＲサーチ処理できない、リジューム情報が取得できない等、通常の操作を行えなくなってしまうという問題が生じる。上述の特許文献１及び２の発明はデジタルコンテンツを暗号化して需要者に提供する技術であるので、暗号化されたデジタルコンテンツを再生する際に生じる上述の問題を解決することはできない。
【０００７】
本発明の課題は、暗号化データの再生において暗号化されていないデータと同様の操作を可能とするとともに、著作権保護を行えるＤＶＤ再生装置を提供することである。
【課題を解決するための手段】
【０００８】
請求項１に記載の発明は、ＤＶＤに記憶された暗号化データを解読して再生するため、前記ＤＶＤに記憶された第１の鍵情報に適合する第２の鍵情報を記憶する鍵情報記憶手段
と、ＤＶＤに記録されたデータを再生する再生手段と、前記再生手段による前記ＤＶＤに記録されたデータを再生中に、前記ＤＶＤに記録されたデータが暗号化データか否かを判断する暗号化判断手段と、前記暗号化判断手段により、前記ＤＶＤに記録されたデータが暗号化データであると判断された場合に、前記鍵情報記憶手段を検索して、当該暗号化データを解読して再生するため前記ＤＶＤに記憶された第１の鍵情報に適合する第２の鍵情報を取得する取得手段と、前記第１の鍵情報と前記取得手段により取得された前記第２の鍵情報とから解読鍵情報を生成して、前記ＤＶＤに記録された暗号化データを解読する解読手段と、前記解読手段により解読された前記ＤＶＤに記録された暗号化データを、前記再生手段により再生する際に、所定の表示部に黒画面を表示させる制御あるいは画面に所定の警告文を表示させる制御を行う表示制御手段と、を備え、前記暗号化データはＣＰＲＭ（Content  Protection  for  Recordable  Media）により暗号化されたデータである
ことを特徴としている。
【０００９】
請求項２に記載の発明は、ＤＶＤに記憶された暗号化データを解読して再生するための鍵情報を記憶する鍵情報記憶手段と、ＤＶＤに記録されたデータを再生する再生手段と、
前記再生手段による前記ＤＶＤに記録されたデータを再生中に、前記ＤＶＤに記録されたデータが暗号化データか否かを判断する暗号化判断手段と、前記暗号化判断手段により、前記ＤＶＤに記録されたデータが暗号化データであると判断された場合に、前記鍵情報記憶手段を検索して、当該暗号化データを解読して再生するための鍵情報を取得する取得手段と、前記取得手段により取得された前記鍵情報を用いて、前記ＤＶＤに記録された暗号化データを解読する解読手段と、前記解読手段により解読された前記ＤＶＤに記録された暗号化データを、前記再生手段により再生する際に、暗号化データであることを示す所定の表示を所定の表示部に表示させる表示制御手段と、を備えることを特徴としている。
【００１０】
請求項３に記載の発明は、ＤＶＤに記憶された暗号化データを解読して再生するため、前記ＤＶＤに記憶された第１の鍵情報に適合する第２の鍵情報を記憶する鍵情報記憶手段と、ＤＶＤに記録されたデータを再生する再生手段と、前記再生手段による前記ＤＶＤに記録されたデータを再生中に、前記ＤＶＤに記録されたデータが暗号化データか否かを判断する暗号化判断手段と、前記暗号化判断手段により、前記ＤＶＤに記録されたデータが暗号化データであると判断された場合に、前記鍵情報記憶手段を検索して、当該暗号化データを解読して再生するため前記ＤＶＤに記憶された第１の鍵情報に適合する第２の鍵情報を取得する取得手段と、前記第１の鍵情報と前記取得手段により取得された前記第２の鍵情報とから解読鍵情報を生成して、前記ＤＶＤに記録された暗号化データを解読する解読手段と、前記解読手段により解読された前記ＤＶＤに記録された暗号化データを、前記再生手段により再生する際に、暗号化データであることを示す所定の表示を所定の表示部に表示させる表示制御手段と、を備えることを特徴としている。
【００１１】
請求項４に記載の発明は、請求項３に記載のＤＶＤ再生装置において、前記暗号化データはＣＰＲＭにより暗号化されたデータであることを特徴としている。
【００１２】
請求項５に記載の発明は、請求項２〜４の何れか一項に記載のＤＶＤ再生装置において、前記表示部に、黒画面を表示させる制御あるいは画面に所定の警告文を表示させる制御を行うことを特徴としている。
【発明の効果】
【００１３】
請求項１に記載の発明によれば、鍵情報記憶手段により、ＤＶＤに記憶された第１の鍵情報に適合する第２の鍵情報が記憶され、再生手段により、ＤＶＤに記録されたデータが再生され、再生手段によるＤＶＤに記録されたデータの再生中に、暗号化判断手段により、ＤＶＤに記録されたデータがＣＰＲＭによる暗号化データか否かが判断され、暗号化判断手段により、ＤＶＤに記録されたデータがＣＰＲＭによる暗号化データであると判断さ
れた場合に、取得手段により、鍵情報記憶手段が検索され、当該暗号化データを解読して再生するための、ＤＶＤに記憶された第１の鍵情報に適合する第２の鍵情報が取得され、解読手段により、第１の鍵情報と取得手段により取得された第２の鍵情報とから解読鍵情報が生成されて、ＤＶＤに記録された暗号化データが解読され、解読手段により解読されたＤＶＤに記録された暗号化データが再生手段により再生される際に、表示制御手段により、所定の表示部に黒画面を表示させる制御あるいは画面に所定の警告文を表示させる制御が行われるので、ＣＰＲＭにより暗号化されたデータを解読することができることとなって、暗号化データを記録したＤＶＤを再生しても通常の操作ができる。また、解読した暗号化データが再生される際、表示部に黒画面あるいは所定の警告文が表示されるので、暗号化された部分を解読しても、著作権保護を行うことができる。
【００１４】
また、表示制御手段により、所定の表示部に黒画面を表示させる制御あるいは画面に所定の警告文を表示させる制御が行われるので、暗号化データであることを示す表示を簡単なものとすることができる。
【００１５】
請求項２に記載の発明によれば、鍵情報記憶手段により、ＤＶＤに記憶された暗号化データを解読して再生するための鍵情報が記憶され、再生手段により、ＤＶＤに記録されたデータが再生され、再生手段によるＤＶＤに記録されたデータの再生中に、暗号化判断手段により、ＤＶＤに記録されたデータが暗号化データか否かが判断され、暗号化判断手段により、ＤＶＤに記録されたデータが暗号化データであると判断された場合に、取得手段により、鍵情報記憶手段が検索され、当該暗号化データを解読して再生するための鍵情報が取得され、解読手段により、取得手段により取得された鍵情報が用いられて、ＤＶＤに記録された暗号化データが解読され、解読手段により解読されたＤＶＤに記録された暗号化データを、再生手段により再生する際に、表示制御手段により、暗号化データであることを示す所定の表示を所定の表示部に表示させるので、暗号化データを解読することができることとなって、暗号化データを記録したＤＶＤを再生しても通常の操作ができる。また、解読した暗号化データが再生される際、表示部に暗号化データであることを示す所定の表示が表示されるので、暗号化された部分を解読しても、著作権保護を行うことができる。
【００１６】
請求項３に記載の発明によれば、鍵情報記憶手段により、ＤＶＤに記憶された第１の鍵情報に適合する第２の鍵情報が記憶され、再生手段により、ＤＶＤに記録されたデータが再生され、再生手段によるＤＶＤに記録されたデータの再生中に、暗号化判断手段により、ＤＶＤに記録されたデータが暗号化データか否かが判断され、暗号化判断手段により、ＤＶＤに記録されたデータが暗号化データであると判断された場合に、取得手段により、鍵情報記憶手段が検索され、当該暗号化データを解読して再生するための、ＤＶＤに記憶された第１の鍵情報に適合する第２の鍵情報が取得され、解読手段により、第１の鍵情報と取得手段により取得された第２の鍵情報とから解読鍵情報が生成されて、ＤＶＤに記録された暗号化データが解読され、解読手段により解読されたＤＶＤに記録された暗号化データを、再生手段により再生する際に、表示制御手段により、暗号化データであることを示す所定の表示を所定の表示部に表示させるので、暗号化データの解読に第１の鍵情報と第２の鍵情報との２つの鍵情報を必要とする場合でも、暗号化データを解読することができることとなって、暗号化データを記録したＤＶＤを再生しても通常の操作ができる。また、解読した暗号化データが再生される際、表示部に暗号化データであることを示す所定の表示が表示されるので、暗号化された部分を解読しても、著作権保護を行うことができる。
【００１７】
請求項４に記載の発明は、請求項３に記載の発明と同様の効果が得られるのは勿論のこと、特に、ＣＰＲＭにより暗号化されたデータを解読することができることとなって、ＣＰＲＭにより暗号化されたデータを記録したＤＶＤを再生しても通常の操作ができる。
【００１８】
請求項５に記載の発明は、請求項２〜４の何れか一項に記載の発明と同様の効果が得られるのは勿論のこと、特に、表示制御手段により、所定の表示部に黒画面を表示させる制御あるいは画面に所定の警告文を表示させる制御が行われるので、暗号化データであることを示す表示を簡単なものとすることができる。
【発明を実施するための最良の形態】
【００１９】
以下、図を参照して本発明に係るＤＶＤ再生装置を実施するための最良の形態を詳細に説明する。
＜ＤＶＤのデータの階層構造＞
ＤＶＤ−ＶＲモードで記録されたデータの階層構造を図１に示す。ＤＶＤ−ＶＲモードでＤＶＤに記録されたデータは、複数のＶＯＢ（ビデオオブジェクト）１等を備えて構成される。
【００２０】
ＶＯＢ１は、図１に示すように、複数のＶＯＢＵ（ビデオオブジェクトユニット）２により構成されている。
【００２１】
そして、ＶＯＢＵ２は、ＮＶ＿ＰＣＫ（ナビゲーションパック）３，Ｖ＿ＰＣＫ（ビデオパック）４，Ａ＿ＰＣＫ（オーディオパック）５，ＳＰ＿ＰＣＫ（サブピクチャパック）６により構成されている。
【００２２】
ＮＶ＿ＰＣＫ３は、一つのＶＯＢＵ２に必ず一つ含まれ、Ｖ＿ＰＣＫ４，Ａ＿ＰＣＫ５，ＳＰ＿ＰＣＫ６のアドレスデータと通常再生や特殊再生といった処理を円滑に行うための付加情報を記憶している。
【００２３】
Ｖ＿ＰＣＫ４，Ａ＿ＰＣＫ５，ＳＰ＿ＰＣＫ６は、ＶＯＢＵ２に複数含まれている。そして、Ｖ＿ＰＣＫ４，Ａ＿ＰＣＫ５，ＳＰ＿ＰＣＫ６は、それぞれ、ビデオデータ１０，音声データ，字幕などのデータを、個別に圧縮・符号化して記憶している。
【００２４】
ＶＯＢＵ２に含まれる先頭のＶ＿ＰＣＫ４では、１４バイトからなる１番目のパックヘッダ７，２４バイトからなるシステムヘッダ８，２ビット又は１１ビットからなる２番目のパックヘッダ９，ビデオデータ１０という順でデータが格納されている。そして、２番目のパックヘッダ９は、ＤＶＤ−ＶＲモードで記録されたデータがＣＰＲＭ（Content  Protection  for  Recordable  Media）で暗号化されている場合は１１ビットからなり、
暗号化されていない場合は２ビットからなる。
【００２５】
ここで、ＣＰＲＭとは、著作権保護技術である。ＣＰＲＭでは、暗号化データの解読に必要な鍵情報として、２つの鍵情報を用いる。第１の鍵情報としてのディスクの鍵情報は、ＤＶＤ−ＶＲモードでＤＶＤに記録されるデータが暗号化される際に、ＤＶＤに記録される。ＤＶＤ再生装置には、ＣＰＲＭ対応型とＣＰＲＭ非対応型とがあり、ＣＰＲＭ対応型のＤＶＤ再生装置は、ディスクの鍵情報に適合する第２の鍵情報としてのデバイス鍵情報を持つ。そして、ＣＰＲＭ対応型のＤＶＤ再生装置では、ディスクの鍵情報と、当該ディスクの鍵情報に適合するデバイス鍵情報とから解読鍵情報を生成して、当該解読鍵情報を用いて、ＣＰＲＭにより暗号化されたデータを解読することができる。
【００２６】
また、ＶＯＢＵ２に含まれる先頭のＶ＿ＰＣＫ４以外のＶ＿ＰＣＫ４とＡ＿ＰＣＫ５とＳＰ＿ＰＣＫ６では、１４バイトからなる１番目のパックヘッダ７，２ビット又は１１ビットからなる２番目のパックヘッダ９，ビデオデータ１０という順でデータが格納されている。そして、先頭のＶ＿ＰＣＫ４の場合と同様に、２番目のパックヘッダ９は、ＤＶＤ−ＶＲモードで記録されたデータがＣＰＲＭで暗号化されている場合は１１ビットからな
り、暗号化されていない場合は２ビットからなる。
＜ＤＶＤ再生装置の構成＞
次に、本発明にかかるＤＶＤ再生装置１００の構成について、図２を参照しながら説明する。本実施形態では、本発明にかかるＤＶＤ再生装置１００として、ＣＰＲＭ非対応型のＤＶＤ再生装置１００を例示して、説明する。
【００２７】
ＤＶＤ再生装置１００は、図２に示すように、ピックアップ１１，ＲＦアンプ１２，モータ１３，サーボ回路１４，信号処理回路１５，トラックバッファ１６，システムデコーダ１７，操作部１８，表示部１９，システムマイコン２０等を備えて構成される。
【００２８】
ピックアップ１１は、所定波長のレーザ光をディスクｄの記録面に向けて照射し、その反射光を受けて電気信号（反射光検出信号）に変換する。また、ピックアップ１１は、この反射光検出信号をＲＦアンプ１２に出力する。なお、ピックアップ１１は、ディスクｄからの対象のデータを適宜読み出すことができるように、所定のガイド軸等により、ディスクｄの径方向に移動自在に支持されている。
【００２９】
ＲＦアンプ１２は、ピックアップ１１から出力された反射光検出信号からＲＦ信号，トラッキング信号，フォーカス信号等を生成する。さらに、ＲＦアンプ１２は、ＲＦ信号をデータスライスした二値化信号を生成する。ＲＦアンプ１２は、生成したトラッキング信号等をサーボ回路１４に出力し、また、生成した二値化信号を再生信号として信号処理回路１５に出力する。
【００３０】
モータ１３は、ディスクｄを搭載する所定のターンテーブルを回転させるためのスピンドルモータ等からなる。モータ１３は、サーボ回路１４により制御され、ディスクｄを例えば線速度が一定となるように回転運動させる。
【００３１】
サーボ回路１４は、モータ１３を駆動制御し、所定の回転速度で回転駆動させる。また、サーボ回路１４は、ＲＦアンプ１２から出力されるトラッキング信号等によりスレッドモータ（図示省略）を駆動制御し、ピックアップ１１をディスクｄの径方向に適宜移動させる。
【００３２】
信号処理回路１５は、ＲＦアンプ１２から出力される再生信号を復調するとともに、誤り訂正処理等を施す。信号処理回路１５は、この復調等により得られた復調データをトラックバッファ１６に順次出力する。
【００３３】
トラックバッファ１６は、所定容量のＲＡＭ（Random  Access  Memory）（図示省略）等からなり、信号処理回路１５から出力された復調データを順次記憶する。なお、トラックバッファ１６に記憶された復調データは、システムデコーダ１７に逐次出力される。
【００３４】
システムデコーダ１７は、トラックバッファ１６から出力された復調データをデコードして、映像データ及び音声データ等を生成する。システムデコーダ１７は、生成した映像データ及び音声データ等を所定のＡＶアンプ（図示省略）等に出力する。
【００３５】
操作部１８は、例えば、リモコン（図示省略）又はＤＶＤ再生装置１００本体に設けられた各種操作キー（図示省略）を備えて構成される。
【００３６】
表示部１９は、ＬＣＤ（Liquid  Crystal  Dysplay）パネル等からなり、ＤＶＤ再生装置１００の動作状況やＤＶＤの再生による映像等を表示する。
【００３７】
システムマイコン２０は、例えば、図３に示すように、ＣＰＵ（Central  Processing
Unit）２１，ＲＡＭ２２，記憶部２３等を備えて構成される。
【００３８】
ＣＰＵ２１は、記憶部２３に格納された処理プログラム等を読み出して、ＲＡＭ２２に展開して実行することにより、ＤＶＤ再生装置１００全体の制御を行う。
【００３９】
ＲＡＭ２２は、ＣＰＵ２１により実行された処理プログラム等を、ＲＡＭ２２内のプログラム格納領域に展開するとともに、入力データや上記処理プログラムが実行される際に生じる処理結果等をワークエリアに格納する。
【００４０】
記憶部２３は、例えば、プログラムやデータ等が予め記憶されている記録媒体（図示せず）を有しており、この記録媒体は、半導体メモリ等で構成されている。また、記憶部２３は、ＣＰＵ２１がＤＶＤ再生装置１００全体を制御する機能を実現させるための各種データ，各種処理プログラム，これらプログラムの実行により処理されたデータ等を記憶する。より具体的には、記憶部２３は、例えば、図３に示すように、鍵情報データ２３ａ，再生プログラム２３ｂ，暗号化判断プログラム２３ｃ，取得プログラム２３ｄ，解読プログラム２３ｅ，表示制御プログラム２３ｆ等を格納している。
【００４１】
鍵情報データ２３ａは、例えば、暗号化データの解読に必要なディスクの鍵情報に適合するＤＶＤ再生装置１００側のデバイス鍵情報である。ディスクの鍵情報は複数種類あり、デバイス鍵情報も、ディスクの鍵情報のそれぞれに適合するため、複数種類ある。よって、かかる鍵情報データ２３ａを記憶する記憶部２３は、鍵情報記憶手段として機能する。
【００４２】
なお、本発明に係るＤＶＤ再生装置１００は、ＣＰＲＭ非対応型であるが、通常のＣＰＲＭ非対応型のＤＶＤ再生装置と異なり、デバイス鍵情報である鍵情報データ２３ａを備えて構成される。
【００４３】
再生プログラム２３ｂは、例えば、ＣＰＵ２１に、ピックアップ１１，サーボ回路１４等を制御して、ディスクｄを読み出して再生する機能を実現させるプログラムである。より具体的には、ＣＰＵ２１に、ピックアップ１１，サーボ回路１４を制御して、読み出し対象となる対象データをサーチさせ、サーチした対象データをディスクｄから読み出させ、ＲＦアンプ１２を制御して、読み出された対象データから再生信号を生成させ、信号処理回路１５を制御して、再生信号の復調及び誤り訂正処理等を行わせ、復調データをトラックバッファ１６に格納し、システムデコーダ１７を制御して、格納した復調データをデコードさせ、得られた映像データ及び音声データを順次再生する機能を実現させるプログラムである。ＣＰＵ２１は、かかる再生プログラム２３ｂを実行することにより、再生手段として機能する。
【００４４】
暗号化判断プログラム２３ｃは、例えば、ＣＰＵ２１に、Ｖ＿ＰＣＫ４，Ａ＿ＰＣＫ５，ＳＰ＿ＰＣＫ６の２番目のパックヘッダ９のデータの大きさに基づいて、当該Ｖ＿ＰＣＫ４，Ａ＿ＰＣＫ５，ＳＰ＿ＰＣＫ６のデータが暗号化されているか否かを判断する機能を実現させるプログラムである。より具体的には、ピックアップ１１，サーボ回路１４等を制御して、ディスクｄから対象データを読み出させ、対象データのＶ＿ＰＣＫ４，Ａ＿ＰＣＫ５，ＳＰ＿ＰＣＫ６の２番目のパックヘッダ９のデータの大きさが２ビットである場合には暗号化されていないと判断し、１１ビットである場合には暗号化されていると判断する。ＣＰＵ２１は、かかる暗号化判断プログラム２３ｃを実行することにより、暗号化判断手段として機能する。
【００４５】
取得プログラム２３ｄは、例えば、ＣＰＵ２１に、鍵情報データ２３ａを検索して、ディスクの鍵情報に適合するデバイス鍵情報を取得する機能を実現させるプログラムである。より具体的には、ＣＰＵ２１に、ＤＶＤに記録されているデータが暗号化されていると判断した場合に、鍵情報データ２３ａを検索し、暗号化データを解読するためのディスク
の鍵情報に適合するデバイス鍵情報を取得する機能を実現させるプログラムである。ＣＰＵ２１は、かかる取得プログラム２３ｄを実行することにより、取得手段として機能する。
【００４６】
解読プログラム２３ｅは、例えば、ＣＰＵ２１に、ディスクの鍵情報と取得したデバイス鍵情報とから解読鍵情報を生成し、当該解読鍵情報を用いて、暗号化データを解読する機能を実現させるプログラムである。ＣＰＵ２１は、かかる解読プログラム２３ｅを実行することにより、解読手段として機能する。
【００４７】
表示制御プログラム２３ｆは、例えば、ＣＰＵ２１に、暗号化データを解読する際に、表示部１９を制御して、黒画面又は暗号化データであることを示す所定の警告文を表示させる機能を実現させるプログラムである。ＣＰＵ２１は、かかる表示制御プログラム２３ｆを実行することにより、表示制御手段として機能する。
＜ＤＶＤ再生装置の動作＞
次に、上述のような構成のＤＶＤ再生装置１００の動作について、図４に示すフローチャートを参照しながら説明する。
【００４８】
まず、ユーザにより操作部１８が操作されて、ＤＶＤの再生命令が入力されると、ＣＰＵ２１は、暗号化判断プログラム２３ｃを実行することにより、ＤＶＤに記録されているデータが暗号化されているか否かを判断する（ステップＳ１）。
【００４９】
ステップＳ１において、ＤＶＤに記録されているデータが暗号化されていないと判断した場合には（ステップＳ１；Ｎｏ）、ＣＰＵ２１は、再生プログラム２３ｂを実行することにより、ＤＶＤの通常の再生を行う（ステップＳ３）。
【００５０】
ステップＳ１において、ＤＶＤに記録されているデータが暗号化されていると判断した場合には（ステップＳ１；Ｙｅｓ）、ＣＰＵ２１は、取得プログラム２３ｄを実行することにより、鍵情報データ２３ａを検索して、暗号化データを解読するためのディスクの鍵情報に適合するデバイス鍵情報を取得する（ステップＳ２）。
【００５１】
次に、ＣＰＵ２１は、解読プログラム２３ｅを実行することにより、ディスクの鍵情報とステップＳ２で取得したデバイス鍵情報とから解読鍵情報を生成する（ステップＳ４）。
【００５２】
ついで、ＣＰＵ２１は、生成した解読鍵情報を用いて、暗号化データを解読する（ステップＳ５）。
【００５３】
次に、ＣＰＵ２１は、再生プログラム２３ｂを実行することにより、ステップＳ５で解読された暗号化データを再生するとともに、表示制御プログラム２３ｆを実行することにより、表示部１９を制御して、黒画面又は暗号化データであることを示す所定の警告文を表示させる（ステップＳ６）。
【００５４】
以上に説明した、ＤＶＤ再生装置１００によれば、ＣＰＵ２１は、再生プログラム２３ｂを実行することによりＤＶＤに記録されたデータを再生し、ＤＶＤに記録されたデータの再生中に、暗号化判断プログラム２３ｃを実行することにより、ＤＶＤに記録されたデータがＣＰＲＭにより暗号化されたデータか否かを判断し、ＤＶＤに記録されたデータがＣＰＲＭにより暗号化されたデータであると判断した場合に、取得プログラム２３ｄを実行することにより、鍵情報データ２３ａを検索して、当該暗号化データを解読して再生するための、ＤＶＤに記憶されたディスクの鍵情報に適合するデバイス鍵情報を取得し、解読プログラム２３ｅを実行することにより、ディスクの鍵情報とデバイス鍵情報とから解読鍵情報を生成して、ＤＶＤに記録された暗号化データを解読し、解読されたＤＶＤに記録された暗号化データを再生プログラム２３ｂを実行することにより再生する際に、表示
制御プログラム２３ｆを実行することにより、表示部１９に黒画面を表示させる制御あるいは画面に所定の警告文を表示させる制御を行うので、ＣＰＲＭ非対応型のＤＶＤ再生装置１００であってもＣＰＲＭにより暗号化されたデータを解読することができることとなって、暗号化データを記録したＤＶＤを再生しても通常の操作ができる。また、表示部１９に黒画面あるいは所定の警告文を表示させるので、暗号化された部分を解読しても、著作権保護を行うことができる。従って、ＣＰＲＭにより暗号化されたデータの再生において暗号化されていないデータと同様の操作を可能とするとともに、著作権保護を行うことができる。
【００５５】
また、ＣＰＵ２１は、表示制御プログラム２３ｆを実行することにより、表示部１９に黒画面又は画面に所定の警告文を表示させるので、暗号化データであることを示す表示を簡単なものとすることができる。
【００５６】
なお、本発明の実施形態においては、ＤＶＤに記録されるデータがＣＰＲＭにより暗号化される場合を説明したが、本発明は、これに限定されるものではない。また、暗号化データを解読するのに必要な鍵情報は１つでも良く、この場合、鍵情報はＤＶＤ再生装置１００に備えられるデバイス鍵情報である。
【００５７】
また、本発明の実施形態では、暗号化データが解読されて再生される際に、表示部１９に黒画面又は暗号化データであることを示す警告文が表示されることとしたが、暗号化データであることを示す表示であれば、何であっても良い。例えば、ＤＶＤに記録された暗号化データが解読されて再生された映像データに、モザイクがかかったような表示であっても良い。
【００５８】
また、本実施形態では、表示部１９が備えられているＤＶＤ再生装置１００を例示したが、表示部１９は必ずしも備えられていなくとも良く、ＤＶＤ再生装置１００に液晶表示装置等の他の表示装置を接続しても良い。
【図面の簡単な説明】
【００５９】
【図１】本発明に係るＤＶＤに記録されたデータの階層構造を示す図である。
【図２】本発明に係るＤＶＤ再生装置の構成を示すブロック図である。
【図３】本発明に係るシステムマイコンの構成を示す図である。
【図４】本発明に係るＤＶＤ再生装置の動作を説明するフローチャートである。
【符号の説明】
【００６０】
１９  表示部
２１  ＣＰＵ（再生手段,暗号化判断手段,取得手段,解読手段,表示制御手段）
２３  記憶部（鍵情報記憶手段）
２３ａ  鍵情報データ（鍵情報記憶手段）
２３ｂ  再生プログラム（再生手段）
２３ｃ  暗号化判断プログラム（暗号化判断手段）
２３ｄ  取得プログラム（取得手段）
２３ｅ  解読プログラム（解読手段）
２３ｆ  表示制御プログラム（表示制御手段）
１００  ＤＶＤ再生装置
【図１】
2006216113.tif 000003
【図２】
2006216113.tif 000004
【図３】
2006216113.tif 000005
【図４】
2006216113.tif 000006